(57)【要約】　　　（修正有）【課題】箱体の収容空間を増加するハンドル装置の提供。【解決手段】箱体２０内に設けられた二つのハンドル支柱外管２１を具え、ハンドル支柱外管２１内に内管２６が伸縮自在に収容され、内管２６の上方にハンドルバー２７が跨設され、ハンドル支柱ハンドル支柱外管２１は方形の長管とされ、両側より位置決め板２２が延伸され、位置決め板２２に複数の孔２３が設けられ、孔２３と箱体２０背面の内側に設けられた凸柱２４が対応し、ネジ２５が孔２３と凸柱２４のネジ孔２４１に螺設されている。空間を妨害する物品が減少され、箱体の収容空間が増加される。【選択図】　　　　図４
0003098069.tif 000002
【実用新案登録請求の範囲】
【請求項１】
上端にハンドルバーが跨設されたハンドル支柱が箱体に結合されて箱体の手提げ、牽引に供されるハンドル装置において、ハンドル支柱の少なくとも一側より位置決め板が延伸され、該位置決め板に複数の孔が設けられてネジが該孔に挿入されて該位置決め板が箱体にネジ止めされたことを特徴とする、ハンドル装置。
【請求項２】
請求項１記載のハンドル装置において、位置決め板がハンドル支柱の側面の中間位置に位置し、箱体背面内側の、位置決め板の孔に対応する位置に複数の凸柱が設けられて箱体と位置決め板のネジ止めに供されることを特徴とする、ハンドル装置。
【請求項３】
請求項１記載のハンドル装置において、位置決め板がハンドル支柱にあって箱体背面内側に近接する位置に設けられ、リベットにより箱体に固定されたことを特徴とする、ハンドル装置。
【考案の詳細な説明】
【０００１】
【考案の属する技術分野】
本考案は、鞄、ハンドバッグ、書類鞄等に係り、さらに詳しくはハンドル装置に関する。
【０００２】
【従来の技術】
周知のとおり、鞄の内部の収容空間が保存物品の多寡を決定するため、手提げハンドルは早期には外部に設置されていた。しかし、外観が悪いため、内部に設置されるようになり、内蔵式のハンドルが多くなった。図１、２は鞄１０内に位置決め板１１が設けられてハンドル１２が位置決めされた状態を示す。該位置決め板１１は方形枠１３でハンドル１２を被包し、方形枠１３内に当接片１３１が設けられ、ハンドル１２に当接し、さらにハンドル１２がネジ１４で方形枠１３に螺子止めされ、位置決め板１１もまたネジ１５で鞄１０の背面に螺子止めされている。
【０００３】
方形枠１３の締める体積は大き過ぎ、両側に向けて延伸されているほか、後方に向けても延伸され、内部空間がそれほど大きくない鞄１０内にあって、保存空間を減少させる。現在この方式が広く使用されて改善されておらず、業者は鞄１０体積を増加する方向にあるが、使用者にとっては不便である。
【０００４】
また図３に示されるのは液晶テレビのテレビケース１であり、前方に液晶パネル等の部品が組み付けられ、該テレビケース１の上方にハンドル２が枢接され、液晶テレビの携帯に供される。しかし、ハンドル２で手に下げる時、テレビケース１（液晶テレビ）が傾斜し、重心が不安定となり、携帯しにくく、ハンドル２を下向きに延伸して内蔵式とすると、体積が大きくなりすぎ、テレビの部品の組み付けに影響が生じる。
【０００５】
【考案が解決しようとする課題】
本考案は一種のハンドル装置を提供することを課題とし、それは、ハンドルの組合せ体積を縮減し、鞄の保存空間を増加し、並びにその組合せの構造強度に影響を与えないハンドル装置であるものとする。
【０００６】
【課題を解決するための手段】
請求項１の考案は、上端にハンドルバーが跨設されたハンドル支柱が箱体に結合されて箱体の手提げ、牽引に供されるハンドル装置において、ハンドル支柱の少なくとも一側より位置決め板が延伸され、該位置決め板に複数の孔が設けられてネジが該孔に挿入されて該位置決め板が箱体にネジ止めされたことを特徴とする、ハンドル装置としている。
請求項２の考案は、請求項１記載のハンドル装置において、位置決め板がハンドル支柱の側面の中間位置に位置し、箱体背面内側の、位置決め板の孔に対応する位置に複数の凸柱が設けられて箱体と位置決め板のネジ止めに供されることを特徴とする、ハンドル装置としている。
請求項３の考案は、請求項１記載のハンドル装置において、位置決め板がハンドル支柱にあって箱体背面内側に近接する位置に設けられ、リベットにより箱体に固定されたことを特徴とする、ハンドル装置としている。
【０００７】
【考案の実施の形態】
本考案の複数のハンドル支柱が箱体に結合され、ハンドル支柱の上端にハンドルバーが架設され、鞄の手提げ、牽引に供されるハンドル装置において、該ハンドル支柱の少なくとも一側より位置決め板が延伸され、該位置決め板に複数の孔が設けられ、複数の位置決め柱が該孔内に挿入され、該位置決め板が箱体内に位置決めされ、場所を占有しない目的が達成される。
【０００８】
【実施例】
本考案は一種のハンドル装置を提供し、それは鞄、書類鞄、ハンドバッグ等に応用されうる。図４、５、６に示されるように、本考案は箱体２０内に設けられた二つのハンドル支柱外管２１を具え、該ハンドル支柱外管２１内に内管２６が伸縮自在に収容され、内管２６の上方にハンドルバー２７が跨設され、該ハンドル支柱ハンドル支柱外管２１は方形の長管とされ、両側より位置決め板２２が延伸され、該位置決め板２２がハンドル支柱外管側面のほぼ中間位置にあり、該位置決め板２２に複数の孔２３が設けられ、該孔２３と箱体２０背面の内側に設けられた凸柱２４が対応し、ネジ２５が孔２３と凸柱２４のネジ孔２４１に螺設されている。
【０００９】
上述の構造によりなる本考案のハンドル装置は、組合せ時に、位置決め板２２が箱体２０の凸柱２４に当接させられて、位置決め板２２の孔２３と凸柱２４のネジ孔２４１が対応させられ、さらにネジ２５により螺子止めされることにより、ハンドル支柱外管２１が箱体２０内に固定され、こうして空間を占用せず、ハンドル支柱ハンドル支柱外管２１は方形枠のような固定部品を必要とせず、直接位置決め板２２で箱体２０内に螺子止めされるため、全体として、周知の方形枠を使用したものの体積を占用する問題がなく、組立上も便利である。
【００１０】
図７に示される実施例によると、ハンドル支柱外管２１’の位置決め板２２’は箱体２０’の背面内側に当接するよう延伸され、該位置決め板２２’に複数の孔２３’が設けられて、ネジ２５のリベット２８’による箱体２０’への固定に供され、この実施形態は他の箱体２０’、例えば書類鞄、ハンドバッグ、液晶テレビ、プラズマテレビ等（現在書類鞄にも牽引用ハンドルが設けられたものがある）に応用されうる。
【００１１】
図８に示されるように、本考案は軽薄で、体積が小さく、重量が軽い液晶テレビ或いはプラズマテレビのハンドル装置に応用されうる。テレビケース３０の内面に本考案のハンドル支柱外管２１が取り付けられ、その取り付け方式は上述の二つの実施例と同じであり、該テレビケース３０内の有限な空間内に本考案を取り付けることにより、液晶テレビ、プラズマテレビを携帯に便利とし、傾斜しないものとすることができる。
【００１２】
【考案の効果】
本考案は簡単に製作でき、現在のハンドル装置のハンドル支柱外管の被覆式に固定方式が箱体内の空間を占用する問題を解決し、箱体の体積を増加せずに、その収容量を増すことができ、体積容量が大きくない書類鞄及び液晶テレビに運用されて、その収容量を増すことができ、且つ組立に便利であり、アルミプレス成形可能で、多くの技術の問題を克服し、成形に便利である。
【００１３】
ゆえに本考案のハンドル装置は新規性、実用性及び産業上の利用価値を有している。
【図面の簡単な説明】
【図１】周知のハンドル装置の斜視図である。
【図２】周知のハンドル装置のハンドル支柱外管と鞄の結合表示図である。
【図３】周知の液晶テレビとハンドル装置の結合表示図である。
【図４】本考案の斜視図である。
【図５】本考案のハンドル装置と箱体の結合の断面図である。
【図６】本考案の平面図である。
【図７】本考案のもう一つの実施例の断面図である。
【図８】本考案の液晶テレビへの応用の斜視図である。
【符号の説明】
２０　箱体　　　　２２’　位置決め板　　　　２５　ネジ
２０’　箱体　　　２３　孔　　　　　　　　　２６　内管
２１　ハンドル支柱外管　　２３’　孔　　　　２７　ハンドルバー
２１’　ハンドル支柱外管　２４　凸柱　　　　２８’　リベット
２２　位置決め板　　　　　２４１　ネジ孔　　３０　テレビケース
【図１】
0003098069.tif 000003
【図２】
0003098069.tif 000004
【図３】
0003098069.tif 000005
【図４】
0003098069.tif 000006
【図５】
0003098069.tif 000007
【図６】
0003098069.tif 000008
【図７】
0003098069.tif 000009
【図８】
0003098069.tif 000010